(57)【要約】【課題】建築板の接続部分を目立たないようにして建物の外観低下を少なくすることができる建築板を提供する。【解決手段】複数本の目地状溝１、１…を基板２の表面に設け、各目地状溝１を基板２の長手方向に連続して形成すると共に複数本の目地状溝１、１…を基板２の短手方向に略等間隔に並べて形成した建築板Ａにおいて、基板２の短手方向の中央部を通るように仮想されるセンターラインＣＬに隣り合って位置する目地状溝１、１の一つを幅広目地状溝１ｂとして形成し、幅広目地状溝１ｂの幅寸法ＷＨを他の目地状溝１の設計幅寸法Ｗ０に基板２の寸法公差ｔを加えたものとする。隣接する建築板Ａ、Ａの接続部分（継ぎ目部分）に形成される目地溝３と同様の外観を有する幅広目地状溝１ｂを建築板Ａの中央部近傍に形成することができる。【選択図】図１
2009133151.tif 000002
【特許請求の範囲】
【請求項１】
複数本の目地状溝を基板の表面に設け、各目地状溝を基板の長手方向に連続して形成すると共に複数本の目地状溝を基板の短手方向に略等間隔に並べて形成した建築板において、基板の短手方向の中央部を通るように仮想されるセンターラインに隣り合って位置する目地状溝の一つを幅広目地状溝として形成し、幅広目地状溝の幅寸法を他の目地状溝の設計幅寸法に基板の寸法公差を加えたものとすることを特徴とする建築板。
【請求項２】
複数本の目地状溝を基板の表面に設け、各目地状溝を基板の長手方向に連続して形成すると共に複数本の目地状溝を基板の短手方向に略等間隔に並べて形成した建築板において、基板の短手方向の最も中央に位置する目地状溝に隣り合う他の目地状溝の一つを幅広目地状溝として形成し、幅広目地状溝の幅寸法を他の目地状溝の設計幅寸法に基板の寸法公差を加えたものとすることを特徴とする建築板。
【請求項３】
基板の短手方向の最も中央に位置する目地状溝と幅広目地状溝以外の目地状溝のうちの少なくとも一つを、目地状溝の設計幅寸法に基板の寸法公差の半分を増減した幅寸法を有する幅調整目地状溝として形成して成ることを特徴とする請求項１又は２に記載の建築板。
【請求項４】
幅調整目地状溝を基板の短手方向の中央部の両側に同数ずつ設けて成ることを特徴とする請求項３に記載の建築板。
【発明の詳細な説明】
【技術分野】
【０００１】
本発明は、住宅用建材などとして用いられる建築板に関するものである。
【背景技術】
【０００２】
従来より、外壁材などの建築板（サイディング材）Ａは基板２の表面に複数の目地状溝１、１…を設けることによって、凹凸模様により意匠性を高めることが行われており、また、建築板Ａとしては下端などの一端に実部１２を、上端などの他の一端に実受け部１１をそれぞれ設け、隣接する建築板Ａの実部１２と実受け部１１とを実接合により接続して施工することが行われている（例えば、特許文献１参照）。
【特許文献１】特開平９−８８２９３号公報
【発明の開示】
【発明が解決しようとする課題】
【０００３】
しかし、上記のような建築板では、目地状溝１と隣接する建築板Ａ、Ａの接続部分に形成される目地溝３との外観が同等でないために、建築板Ａ、Ａの接続部分（継ぎ目部分）が目立ってしまい、建物の外観が低下するという問題があった。これは、基板２の縦方向及び横方向の寸法や、目地状溝１及び実部１２と実受け部１１の切削加工やプレス成形の位置に誤差があり、この誤差が±１．５〜２．０ｍｍの基板２の寸法公差ｔとして生じるものであり、図３に示すように、目地溝３の寸法Ｗｍにバラツキが生じて目地溝３が細くなったり太くなったりして目立つからである。尚、目地溝３の寸法Ｗｍは目地状溝１の設計幅寸法Ｗ０に基板２の寸法公差ｔが増減した寸法（Ｗｍ＝Ｗ０±ｔ）となる。
【０００４】
本発明は上記の点に鑑みてなされたものであり、建築板の接続部分を目立たないようにして建物の外観低下を少なくすることができる建築板を提供することを目的とするものである。
【課題を解決するための手段】
【０００５】
本発明の請求項１に係る建築板Ａは、複数本の目地状溝１、１…を基板２の表面に設け、各目地状溝１を基板２の長手方向に連続して形成すると共に複数本の目地状溝１、１…を基板２の短手方向に略等間隔に並べて形成した建築板Ａにおいて、基板２の短手方向の中央部を通るように仮想されるセンターラインＣＬに隣り合って位置する目地状溝１、１の一つを幅広目地状溝１ｂとして形成し、幅広目地状溝１ｂの幅寸法ＷＨを他の目地状溝１の設計幅寸法Ｗ０に基板２の寸法公差ｔを加えたものとすることを特徴とするものである。
【０００６】
本発明の請求項２に係る建築板Ａは、複数本の目地状溝１、１…を基板２の表面に設け、各目地状溝１を基板２の長手方向に連続して形成すると共に複数本の目地状溝１、１…を基板２の短手方向に略等間隔に並べて形成した建築板Ａにおいて、基板２の短手方向の最も中央に位置する目地状溝１ａに隣り合う他の目地状溝１、１の一つを幅広目地状溝１ｂとして形成し、幅広目地状溝１ｂの幅寸法ＷＨを他の目地状溝１の設計幅寸法Ｗ０に基板２の寸法公差ｔを加えたものとすることを特徴とするものである。
【０００７】
本発明の請求項３に係る建築板Ａは、請求項１又は２に加えて、基板２の短手方向の最も中央に位置する目地状溝１ａと幅広目地状溝１ｂ以外の目地状溝１のうちの少なくとも一つを、目地状溝１の設計幅寸法Ｗ０に基板２の寸法公差ｔの半分を増減した幅寸法ＷＬを有する幅調整目地状溝１ｃとして形成して成ることを特徴とする。
【０００８】
本発明の請求項４に係る建築板Ａは、請求項３に加えて、幅調整目地状溝１ｃを基板２の短手方向の中央部の両側に同数ずつ設けて成ることを特徴とするものである。
【発明の効果】
【０００９】
請求項１、２の発明では、隣接する建築板Ａ、Ａの接続部分（継ぎ目部分）に形成される目地溝３と同様の外観を有する幅広目地状溝１ｂを建築板Ａの中央部近傍に形成することができ、この幅広目地状溝１ｂの存在により目地溝３の幅寸法のバラツキを目立たなくすることができるものであり、建物の外観低下を少なくすることができるものである。
【００１０】
請求項３の発明では、幅調整目地状溝１ｃを設けることにより、さらに目地溝３の幅寸法Ｗｍのバラツキを目立たなくすることができるものであり、建物の外観低下を少なくすることができるものである。
【００１１】
請求項４の発明では、建築板Ａの全体に複数の幅調整目地状溝１ｃ、１ｃ…を設けることができ、さらに目地溝３の幅寸法Ｗｍのバラツキを目立たなくすることができるものであり、建物の外観低下を少なくすることができるものである。
【発明を実施するための最良の形態】
【００１２】
以下、本発明を実施するための最良の形態を説明する。
【００１３】
本発明の建築板Ａは外壁材などに用いられるものであって、方形板状の基板１の表面に複数本の目地状溝１、１…を設けて形成することができる。基板２は正面視で横方向（水平方向）を長手方向とし、縦方向（鉛直方向）を短手方向とする略長方形に形成されるものであり、各目地状溝１は基板２の長手方向と平行に連続して長く形成されるものであり、また、複数本の目地状溝１、１…は基板２の短手方向に略等間隔に並べて形成されている。建築板Ａの表面は上記目地状溝１を設けることにより凹凸模様を有して形成されている。また、目地状溝１は基板２の一方の端部（建築板Ａの施工時に下端部となる端部）２ａと他方の端部（建築板Ａの施工時に上端部となる端部）２ｂと平行に長く形成されるものである。また、基板２の一方の端部２ａに実部１２が、他方の端部２ｂに実受け部１１がそれぞれ形成されている。そして、実部１２を実受け部１１の表面に重ね合わせるようにして、上下に隣接して施工された建築板Ａ、Ａを実接合により接続することができるものであり、実部１２と実受け部１１の接続部分には目地状溝１と似た外観を有する目地溝３が形成されるものである。建築板Ａは窯業系基材や金属系基材のように無機質のものであっても、樹脂系基材のように有機質のものであってもいずれでもよく、窯業系基材の場合は、無機質硬化体の原料となるセメントなどの水硬性膠着材に無機充填材、繊維質材料等を配合し、プレス成形等で成形した後に養生硬化させて作製することができる。また、目地状溝１、実部１２、実受け部１１はプレス成形加工や切削加工等で形成することができる。
【００１４】
そして、本発明では目地状溝１を以下のように形成するものである。まず、基板２の短手方向の最も中央に位置する目地状溝１ａに隣り合う他の目地状溝１、１の一つを幅広目地状溝１ｂとして形成する。図１のものでは、基板２の短手方向の中央部を通るように仮想される横方向のセンターラインＣＬと、基板２の短手方向の最も中央に位置する目地状溝１ａとが重なっているので、その中央の目地状溝１ａの直ぐ上側または直ぐ下側に位置する目地状溝１を幅広目地状溝１ｂとして形成する。また、幅広目地状溝１ｂの幅寸法（短手方向（鉛直方向）の寸法）ＷＨは他の目地状溝１の設計幅寸法Ｗ０に基板２の寸法公差ｔを加えたものとする。すなわち、ＷＨ＝Ｗ０＋ｔの式で表されるものであり、例えば、基板２の寸法公差ｔ＝±１．５〜２．０の場合はＷＨ＝Ｗ０＋１．５〜２．０とすることができる。
【００１５】
尚、基板２の短手方向の最も中央に位置する目地状溝１ａとセンターラインＣＬとが重ならない場合には、センターラインＣＬの直ぐ上側または直ぐ下側に隣り合って位置する目地状溝１のいずれか一方を幅広目地状溝１ｂとして形成する。
【００１６】
そして、本発明の建築板Ａでは、図２（ａ）に示すように、上下に隣接して実接合することにより施工した場合には、隣接する建築板Ａ、Ａの接続部分（継ぎ目部分）に形成される目地溝３と同様の外観を有する幅広目地状溝１ｂを建築板Ａの中央部近傍に形成することができる。従って、目地溝３の幅寸法Ｗｍが寸法公差ｔとの関係で幅広になったときでも、幅広目地状溝１ｂが建築板Ａの略中央部にバランス良く配置されているために目地溝３の幅寸法のバラツキを目立たなくすることができるものであり、建物の外観低下を少なくすることができるものである。尚、図２（ｂ）に示すように、基板２の最も上端又は下端に位置する目地状溝１を幅広目地状溝１ｂとした場合は目地溝３と幅広目地状溝１ｂとが隣接するため帯状の幅広のラインが生じて目地溝３が形成される隣接する建築板Ａ、Ａの接続部分が目立つことになる。
【００１７】
本発明においては、さらに、基板２の短手方向の最も中央に位置する目地状溝１ａと幅広目地状溝１ｂ以外の目地状溝１のうちの少なくとも一つを幅調整目地状溝１ｃとして形成することができる。また、幅調整目地状溝１ｃの幅寸法（短手方向（鉛直方向）の寸法）ＷＬは他の目地状溝１の設計幅寸法Ｗ０に基板２の寸法公差ｔの半分を増減したものとすることができる。すなわち、ＷＬ＝Ｗ０±ｔ／２の式で表されるものであり、例えば、基板２の寸法公差ｔ＝±１．５〜２．０の場合はＷＬ＝Ｗ０±０．７５〜１．０とすることができる。一枚の建築板Ａに形成する幅調整目地状溝１ｃの本数は、特に限定されないが、建築板Ａに形成した目地状溝１の全本数をＢとすると、Ｂ／６の整数部分の数とすることができる。また、幅調整目地状溝１ｃは基板２の短手方向の中央部の両側に同数ずつ設けることができる。例えば、図１に示すものではセンターラインＣＬの上側と下側に１本ずつの幅調整目地状溝１ｃを形成している。
【００１８】
そして、この建築板Ａでは幅調整目地状溝１ｃを設けることにより、さらに目地溝３の幅寸法のバラツキを目立たなくすることができるものであり、建物の外観低下を少なくすることができるものである。
【図面の簡単な説明】
【００１９】
【図１】本発明の実施の形態の一例を示し、（ａ）は正面の概略図、（ｂ）は接続した状態を示す一部の断面図である。
【図２】（ａ）は本発明の建築板の接続状態の一例を示す正面図、（ｂ）は比較となる建築板の接続状態の一例を示す正面図である。
【図３】従来例を示す一部の断面図である。
【符号の説明】
【００２０】
１  目地状溝
１ａ  目地状溝
１ｂ  幅広目地状溝
１ｃ  幅調整目地状溝
２  基板
３  目地溝
Ａ  建築板
ＣＬ  センターライン
【図１】
2009133151.tif 000003
【図２】
2009133151.tif 000004
【図３】
2009133151.tif 000005